(57)【特許請求の範囲】
【請求項１】
キッチン等のカウンタートップの上面開口部から調理器本体を落とし込むとともに、該本体の上部に設けられたトッププレートの外周縁で係止して組み込むようにしたものにおいて、
前記調理器本体を構成する本体ケースの側壁に、側方に突出する突段部を形成するとともに、該突段部の段差部近傍に係合口を設け、この係合口にＬ字状の固定具の垂直部上端を係合するとともに、該固定具の水平部にボルト部材を螺挿し、このボルト部材を前記カウンタートップの裏面に締め付けることにより、前記固定具を介して前記トッププレートとの間でカウンタートップを挟持し取付固定したことを特徴とするビルトイン型調理器。
【請求項２】
本体ケースの係合口を有する側壁には、固定具の垂直部上端を下方から前記係合口に向けて案内する凸部を形成したことを特徴とする請求項１記載のビルトイン型調理器。
【発明の詳細な説明】
【０００１】
【発明の属する技術分野】
本発明は、システムキッチン等のカウンタートップに組み込まれて使用されるビルトイン型調理器に関する。
【０００２】
【従来の技術】
従来、例えば誘導加熱調理器等の調理器をビルトイン型調理器としてをシステムキッチンのカウンタートップに組み込む場合、図８に示すような取付構成としていた。
この図８において、誘導加熱調理器１は調理器本体２とトッププレート３とを具備してなり、この調理器本体２内には図示しないが誘導加熱コイルや回路基板等を設けており、またトッププレート３には図示しないが前記誘導加熱コイルに対向するプレート部と該プレート部の外周囲を保持する枠部４とから大略構成されていて、これら調理器本体２とトッププレート３とは、その外周縁部３ａたる枠部４の適宜の位置において図示しないがネジ止め手段等により連結固定され一体化されている。
【０００３】
しかるに、この誘導加熱調理器１を組み込むに際しては、まず調理器本体２をキッチンのカウンタートップ５の開口部６から内方に落し込み、この開口部６より大きな外形をなす前記トッププレート３の外周縁３ａにて係止し、所謂懸架状態に支持させる。そして、付属部品として用意された金属製の矩形平板状の固定具７の一端を調理器本体２の底部２ａに設けたナット部８に第１のボルト部材９にて締め付けた後、その他端をカウンタートップ５の裏面側まで延出し、その端部に第２のボルト部材１０を螺挿するとともに先端をカウンタートップ５の裏面に押し付けるようにして締め付ける。これにより、固定具７を介して調理器本体２を下方に引張るように付勢して、トッププレート３との間で挟持しその外周縁３ａがカウンタートップ５の上面である開口部６周縁に密着されるように取付固定される。
【０００４】
【発明が解決しようとする課題】
ところで、上記のようにカウンタートップ５の上面に係止されたトッププレート３との接合面は、キッチン等で使用された水等の液体が容易に侵入しないように強く密着する構成が望ましい。そのためには、第２のボルト部材１０を強く締め付ける必要があるが、この場合、強く締め付けるほど固定具７を介して第１のボルト部材９を固持しているナット部８に対し、離脱方向の外力が集中する。
【０００５】
従って、上記構成の取付強度を上げるには固定具７が容易に変形しないことはもとより、ナット部８に応力が集中し易いので径大でネジの締め代を大きくするなどの配慮が必要であり、且つ該ナット部８を設ける調理器本体２の水平な底部２ａは変形し易く、そのために例えば金属製の調理器本体２の外郭をなす全体の板厚を増すことはコスト的に極めて不経済であるばかりか、その他の手段としても別部材のナット部材を溶着したりせねばならず複雑化し面倒である。
しかも、最近では斯かる調理器本体２の外郭を形成するには容易に製作できる合成樹脂製とする場合が増えているが、斯かる場合には別体のナット部をモールドしたり、やはりその周辺を補強するなど工夫が必要となる。
【０００６】
また、上記のような固定具７を用いた取付作業は、通常キッチン内部の狭い暗所において行われることが多く、できるだけ簡易な取付構成であることが好ましい。
例えば、上記取付構成において、固定具７を予め調理器本体２に仮固定した状態で開口部６から落とし込み、そして該固定具７を所定位置まで回動させて締付固定すれば、該固定具７をその都度連結固定することに比べると遥かに効率良く取り付けられることが予測される。
【０００７】
ところが、いずれにしてもキッチン内部において前記した第１,第２の２本のボルト部材９，１０を強固に締め付ける作業が必要で、特に暗所で手探りでの作業を強いられる場合には、例えば第２のボルト１０を螺挿する位置決めや、これら各ボルト９，１０を図示しない締付治具を使用して強く締め付ける作業は、キッチン下部の狭い場所において不自然な体勢となることも相俟って面倒で困難となるなどの問題を有していた。
【０００８】
本発明は上述の事情に鑑みてなされたものであり、従ってその目的は、キッチン等内部の狭くて暗所における組み込み作業となっても、固定具と調理器本体との連結作業が容易にでき、しかもボルト部材の部品点数を削減した上で強度的にも良好で簡単に取付固定ができるビルトイン型調理器を提供するにある。
【０００９】
【課題を解決するための手段】
上記目的を達成するために、本発明のビルトイン型調理器は、キッチン等のカウンタートップの上面開口部から調理器本体を落とし込むとともに、該本体の上部に設けられたトッププレートの外周縁で係止して組み込むようにしたものにおいて、前記調理器本体を構成する本体ケースの側壁に、側方に突出する突段部を形成するとともに、該突段部の段差部近傍に係合口を設け、この係合口にＬ字状の固定具の垂直部上端を係合するとともに、該固定具の水平部にボルト部材を螺挿し、このボルト部材を前記カウンタートップの裏面に締め付けることにより、前記固定具を介して前記トッププレートとの間でカウンタートップを挟持し取付固定したことを特徴とする（請求項１の発明）。
【００１０】
斯かる構成によれば、固定具およびボルト部材による部品点数の低減を図りながら、Ｌ字状に形成してなる固定具は自体の強度向上はもとより、本体ケースとの連結強化も果たし得、しかも、固定具を本体ケースに組み付ける際に突段部の段差部にて衝止してそれ以上の移動を阻止することで所謂位置規制され、以って続いて行なう係合口との位置合わせは必要に応じ横方向に若干調整移動させる程度で行え、その連結作業を容易にする。従って、キッチン等内部の狭くて暗所における組み込み作業も簡単確実にできるなど、コスト的にも有利な実用的効果を有する。
【００１１】
そして、請求項１記載のものにおいて、本体ケースの係合口を有する側壁には、固定具の垂直部上端を下方から前記係合口に向けて案内する凸部を形成したことを特徴とする（請求項２の発明）。
【００１２】
斯かる構成によれば、固定具の上端部を係合口に案内する凸部を設けたので、キッチン内部から固定具を組み付ける場合、係合口を有する本体ケースの下方から宛がう位置決めが手探りでも容易に確認でき、従って斯くして位置決め後は固定具を単に上方にスライド移動させるだけで係合口位置に案内され、一致した位置で容易に係合連結させることができるもので、面倒になりがちなキッチン内部の組み込み作業を一層簡単確実に行うことができる。
【００１７】
【発明の実施の形態】
（第１の実施の形態）
以下、本発明のビルトイン型調理器として誘導加熱調理器１１に適用して示す第１実施例について、図１ないし図３に基づき説明する。
このうち図１は、例えば１口タイプの誘導加熱調理器１１をキッチン内部に組み込んだ全体構成を示す縦断面図、図２は該調理器１１単体の外観斜視図である。これら図面に示すように、まず誘導加熱調理器１１単体の構成としては、詳細は後述するがキッチン内部に落とし込まれる調理器本体１２と、この調理器本体１２の上面部を形成するように被着されたトッププレート１３とから大略構成されている。
【００１８】
しかるに、上記調理器本体１２は、本実施例では合成樹脂製とし上面を開口した矩形箱状の本体ケース１４と、この内部に前記トッププレート１３に近接して配設された誘導加熱コイルユニット１５と、また下方に放熱部材１６を有して設けられた回路基板１７等から構成されている。そのうち、前記誘導加熱コイルユニット１５は、耐熱絶縁材料からなるコイルベース１８と、このコイルベース１８上に配設された誘導加熱コイル１９とから構成され、また上記回路基板１７は、その誘導加熱コイル１９を制御するインバータ回路やその他の電子部品（いずれも図示せず）が実装された構成としている。
その他、調理器本体１２には図示しないが冷却ファンやそのための吸気口や排気口を備え、前記放熱部材１６を介して回路基板１７が搭載する発熱性部品の冷却を行なうようにしている。
【００１９】
一方、前記トッププレート１３は、その略中央部に位置して結晶化ガラスからなる円板状のプレート部２０と、このプレート部２０を保持するアルミニウム製で板状の枠部２１とから構成されている。そのプレート部２０は、前記誘導加熱コイル１９と対向配置され、上面を調理用鍋等の載置部とするものである。また、前記枠部２１は、前記調理器本体１２の上面開口を有する外形寸法より大きくて、その外周縁を前記本体ケース１４の開口周縁と重ね合せて前記トッププレート１３の外周縁１３ａとして庇状に延出した形態にあって、斯かるトッププレート１３は調理器本体１２たる本体ケース１４に図示しないネジ止め手段とか接着剤等の固着手段により連結固定している。
尚、詳しい図示は省略するが、図２に示すように前記枠部２１の右前部（調理器１１の正面側）には、前記誘導加熱コイルユニット１５をオン，オフするスイッチキーや火力調整キー、火力表示部等を備えた操作パネル２２が設けられている。
【００２０】
斯くして、上記構成からなる誘導加熱調理器１１は、図１に示す如くシステムキッチンに組み込まれて利用される。即ち、図１に明示するようにキッチンのカウンタートップ２３には、前記本体ケース１４にて外郭を形成する前記調理器本体１２を、落とし込み可能でトッププレート１３の外周縁１３ａにて係止される大きさの矩形の開口部２４が形成されている。従って、この開口部２４に調理器本体１２を落とし込まれた誘導加熱調理器１１は、前記トッププレート１３の外周縁１３ａにて係止され所謂懸架状態に支持される。
そして、この状態にて詳細は後述するが例えば相対する2箇所においてＬ字状の固定具２５を用いて、カウンタートップ２３に堅固に取付固定され、キッチン内部に不動状態に組み込まれている。
【００２１】
更に、この組み込み状態における具体的構成について、図１，２を参照して述べる。まず、前記した調理器本体１２を構成する本体ケース１４の左右の両側壁１４ａ，１４ｂには、縦方向の上面開口端から下方中腹部に至り外方に膨出した突段部２６，２６が形成され、その境界の段差部２６ａには正面視して矩形の係合口２７が夫々形成されている。以下、説明を簡略するために一方の左側壁１４ａ側の１箇所における構成および取付手段につき説明する（他方の右側壁１４ｂ側の構成も同一である）。
【００２２】
上記した係合口２７は、図示するように本実施例では一部突段部２６を含みその段差部２６ａ近傍に貫通した角孔状に形成されていて、これは本体ケース１４を合成樹脂にて型成形するとき、上下方向の型抜きにて該係合口２７も同時に成形できる構成にある。尚、前記突段部２６の幅（横）方向の寸法は、本実施例では図２に示す如く前記係合口２７の幅寸法より大きくするのが好ましいが、同等若しくは若干小さくても特に支障はなく適宜に設定される。
【００２３】
そして、上記係合口２７には前記したＬ字状に曲成された固定具２５の一端が係合されている。具体的には、固定具２５は剛体性の高い金属製で前記係合口２７の幅寸法より幅狭の板状にあって、これをＬ字状に折曲形成している。そのＬ字状の一端たる垂直部上端には、例えば下方にコ字状に折曲された鉤部２５ａが形成されていて、該鉤部２５ａが前記係合口２７に挿入され引掛けられて、下方向に対し係合して連結された状態にある。また、他端の水平部には例えばバーリング加工されたナット部２５ｂが形成され、これに螺挿されたボルト部材たる蝶型ボルト２８が強く締め付けられ、従って蝶型ボルト２８の先端がカウンタートップ２３の裏面を強く押圧した状態にあって、前記したトッププレート１３の外周縁１３ａとの間で該カウンタートップ２３を挟持することで取付固定され、以って誘導加熱調理器１１がキッチン内部に不動状態に組み込まれている。
【００２４】
しかして、上記構成の誘導加熱調理器１１をキッチンに組み込む作業手順につき、図１，２に加えて特には図３に示す要部の分解図を参照して述べる。まず、図３に示す如く調理器本体１２部分を、カウンタートップ２３の開口部２４からキッチン内部に落とし込む。これにより、開口部２４の周縁上に前記したようにトッププレート１３の外周縁１３ａが係止され懸架状態に支持される。次いで、固定具２５を組み付けるべくキッチン内部たるカウンタートップ２３の下部内方から鉤部２５ａを係合口２７に引掛けるようにして係合させる。
【００２５】
この場合、キッチン内部が暗くて手探りで作業するような悪条件下にある場合につき述べるに、本体ケース１４の突段部２６および係合口２７位置（略中央位置）を大よその目安として、固定具２５の上端たる鉤部２５ａを左側壁１４ａに宛がい上方へ滑らせる。このとき、固定具２５の他端には予め蝶型ボルト２８を若干螺挿して保持させておくと良い。やがて、鉤部２５ａが突段部２６の段差部２６ａに当接して、これ以上の上方への移動は衝止されるので、この段差部２６ａに沿って該固定具２５を必要に応じ若干左、または右に移動（横方向）させる。この結果、鉤部２５ａが段差部２６ａ近傍の係合口２７に一致すると、該鉤部２５ａは係合口２７に挿入されるとともに、固定具２５を下方に引張ることにより係合口２７の下縁部に確実に係合状態となる。
尚、固定具２５を予め予測した係合口２７に対応する下方の位置に一致して宛がうことができた場合は、鉤部２５ａが突段部２６に位置する係合口２７の上縁部に衝止されるとともに、直ちに該係合口２７に挿入されて係合し連結状態を得ることができるのは言うまでもない。
【００２６】
そして、鉤部２５ａを係合させた後は、固定具２５に予め保持させておいたボルト部材たる蝶型ボルト２８をナット部２５ｂを介して強く締め付けることによって、蝶型ボルト２８の先端がトッププレート２３の裏面を強く押圧せしめる。
【００２７】
従って、蝶型ボルト２８を締め付けるに伴い、固定具２５を介して調理器本体１２を下方内部に引張り込み、その結果、トッププレート１３の外周縁１３ａと蝶型ボルト２８との間でカウンタートップ２３が強く挟持されて不動状態に取付固定され、以って誘導加熱調理器１１のキッチンへの組み込みが完了する。
【００２８】
さて、上記構成とした本実施例によれば、誘導加熱調理器１１をキッチンたるトッププレート２３の内部に組み込む際、次の作用効果を有する。
即ち、まず誘導加熱調理器１１をキッチンに組み込むに際して、付属品としては固定具２５と蝶型ボルト２８の２種類の部品にて、カウンタートップ２３への取付固定が簡単確実にでき、組み込み作業の効率化を図ることができる。特に、固定具２５を組み付ける際、該固定具２５を突段部２６の段差部２６ａにて衝止させるようにしたので、それ以上の上方への移動は阻止され所謂位置規制され、その後の係合口２７と鉤部２５ａとの位置合わせは単に左右方向に調整移動する程度で容易に行なえる。
【００２９】
従って、斯かる係合口２７と鉤部２５ａとの係合が終えれば、後は至極簡単な蝶型ボルト２８を回動する締め付け作業のみであり、しかも固定具２５に蝶型ボルト２８を予め螺挿して保持させておけば、ナット部２５ｂへ蝶型ボルト２８を螺挿するための位置合わせ作業は不要にでき、一層効率良く組み込むことができる。このように、部品点数の削減や位置合わせも容易にできるとともに、ボルト部材による螺挿作業も大幅に軽減できるので、これら組み込み作業がキッチンたるカウンタートップ２３の内部が、暗くて狭い場所などの悪条件にあっても誘導加熱調理器１１を簡単確実に取付固定できる。
【００３０】
また、固定具２５はＬ字状に形成して、その垂直上端部を係合口２７に係合させ、他端の水平部を介して蝶型ボルト２８にてカウンタートップ２３の裏面に締め付けるようにしたので、該固定具２５自体の機械的強度を高め得、しかも蝶型ボルト２８の締め付けに伴い鉤部２５ａと係合口２７とは係合方向の外力が加わり一層連結が強化されるとともに、その連結部に加わる応力は、固定具２５の幅寸法に相当する鉤部２５ａの内面領域と係合口２７の下縁領域で受け、且つ本体ケース１４の縦方向の側壁１４ａで受け止めるので、従来構成で述べたナット部に離脱方向の応力が集中したり、該本体ケースの水平な底部が変形するようなことはなく、従って遥かに機械的強度に富み耐久性に優れた構成が得られる。
【００３１】
更には、本実施例によればボルト部材の点数削減を図る上に、蝶型ボルト２８を採用したので、特別な締付治具を用いることなく締め付け作業を容易にし、延いては堅固な取付状態、所謂取付強度を高め得ることが可能となり、このことはトッププレート１３の外周縁１３ａ下面がカウンタートップ２３の上面に接合する密着度を高め、こぼれた水等がこの接合面から侵入するのを防止するに有効である。
【００３２】
上記実施例に対し、図４ないし図７は本発明の第２ないし第４実施例を示したもので、上記第１実施例と同一部分には同一符号を付して説明を省略し、異なる部分のみにつき述べる。
【００３３】
（第２の実施の形態）
まず、図４および図５は本発明の第２実施例を示すもので、図４は図２相当図であり、図５は作用を説明するための図４の要部の拡大図である。
このものは、上記第１実施例に対し調理器本体１２の外郭を形成する本体ケース２９についてのみ異なる構成に改善したもので、他は共通とするものである。
【００３４】
即ち、本実施例における本体ケース２９は、係合口２７の両側部から下方の縦方向に指向して形成したリブ状の凸部３０ａ，３０ｂを有する点で異なる構成にある。尚、斯かる凸部３０ａ，３０ｂの高さは、何ら制約されるものではないが、本実施例では突段部２６と同一高さに突出している。また、これら凸部３０ａ，３０ｂ間の間隔は、係合口２７の横方向寸法（幅寸法）と同じで、これは図５に二点鎖線で示す固定具２５の幅寸法より若干大きく設定している。
【００３５】
上記したように、本実施例では係合口２７の両側部に凸部３０ａ，３０ｂを設けたので、誘導加熱調理器１１のキッチン組み込みに際して、斯かる突部３０ａ，３０ｂが固定具２５を下方から係合口２７に向けて案内する作用をなし、組み込み作業を一層効率良く行うことができる。具体的には、図示しないキッチンのカウンタートップの開口部に調理器本体１２を落とし込んだ後、その本体ケース２９の係合口２７に固定具２５を係合させるべく、その垂直部の上端の鉤部２５ａを図５に示す如く各凸部３０ａ，３０ｂ間に宛がう。
【００３６】
この場合、キッチン内部が狭いとか暗くても指先の感触にて突部３０ａ，３ｂを容易に確認できるので手探り作業を可能にする。そして、上記鉤部２５ａを同図中二点鎖線で示す矢印方向にやゝ押し付けるようにしてスライド移動させると、該鉤部２５ａが突段部２６に位置する係合口２７の上縁部に衝止されて、それ以上の移動は阻止されるとともに、略同時に鉤部２５ａが係合口２７に挿入される。そこで、固定具２５を若干下方に引張り移動させれば、鉤部２５ａが係合口２７の下縁部に係合して連結される。従って、後は上記第１実施例と同様に図示しないボルト部材を締め付けることで誘導加熱調理器１１はカウンタートップに取付固定され、所謂キッチン内部への組み込み作業が完了する。
【００３７】
このように、本実施例では固定具２５の上端である鉤部２５ａを係合口２７に案内する凸部３０ａ，３０ｂを設けたので、キッチン内部から固定具２５を係合口２７を有する本体ケース２９の側壁に、その下方から宛がう位置決めが手探りでも容易にでき、且つその位置決め後は固定具２５を上方にスライド移動させるだけで係合口２７に挿入して係合させることができるもので、面倒になりがちなキッチン内部の組み込み作業を一層簡単確実に行うことができる。
【００３８】
尚、本実施例においては、固定具２５の上端を案内する凸部３０ａ，３０ｂを、係合口２７の両側部に所謂２条連続したリブ状に形成したが、これに限らず例えば一方の凸部３０ａ若しくは３０ｂのみ形成した場合でも、固定具２５を宛がう位置決めは手探りでも可能であり、且つこれに沿って固定具２５を上方の係合口２７に向けて案内する作用効果も十分期待できる。
【００３９】
（第３の実施の形態）
図６は本発明の第３実施例を示す要部の断面図で、特には上記第２実施例で述べた凸部３０ａ，３０ｂに対し、所定寸法に特定した凸部３１ａ，３１ｂ（一方の凸部３１ａのみ図示）を有する点で異なるものである。即ち、係合口２７の両側部から下方の縦方向に延びる凸部３１ａ（３１ｂ）は、図６に示すトッププレート１３の外周縁１３ａ下面より該凸部３１ａ（３１ｂ）の下端部までの長さ寸法Ｈを４０ｍｍ以上に設定して突出形成したものである。
【００４０】
因みに、一般に普及している周知のキッチンに用いられているトッププレートの厚み寸法を調べてみると、最小１５ｍｍから最大４０ｍｍの範囲に大半が該当することが分かった。そこで、図６の（ａ）および（ｂ）は、カウンタートップ２３ａおよび２３ｂの夫々の厚み寸法Ｔ1およびＴ2のみが異なる実施態様を示したもので、以下同図（ａ）の厚み寸法Ｔ1を最小の１５ｍｍとし、また同図（ｂ）の厚み寸法Ｔ2を実用度が高い３０ｍｍと見立てて説明する。
【００４１】
まず、同図（ａ）に示すカウンタートップ２３ａの厚み寸法Ｔ1が小さい場合（この例では１５ｍｍ）には、突段部２６の段差部２６ａや係合口２７および凸部３１ａ（３１ｂ）は開口部２４の外部下方に露呈しており、固定具２５を組み付けるべく本体ケース３２に宛がう位置決めや係合連結する作業は難なく行え、蝶型ボルト２８の螺挿量が多くなる程度で上記第２実施例と同様に効率良く組み込むことができる。
【００４２】
一方、同図（ｂ）に示すカウンタートップ２３ｂの厚み寸法Ｔ2が大きい場合（この例では３０ｍｍ）には、段差部２６ａや係合口２７が厚み寸法Ｔ2の開口部２４の内方に隠れた配置構成となることが多くなる。しかるに、本実施例ではトッププレート１３の外周縁１３ａ下面より凸部３１ａ（３１ｂ）の下端部までの長さ寸法Ｈを４０ｍｍ以上に設定したので、カウンタートップ２３ｂの厚み寸法Ｔ2（３０ｍｍ）より下方に該凸部３１ａ（３１ｂ）の下端部が突出露呈する形態となり、従ってその各下端部間に固定具２５を宛がうことが容易にでき、この位置決めができれば後は固定具２５を上方にスライド移動させるだけで、凸部３１ａ（３１ｂ）間に案内されて係合口２７との係合も簡単確実に行なえるなど、結果として手探り作業となっても上記第２実施例と実質的に同様の作用効果が期待できる。
【００４３】
以上述べたように、凸部３１ａ（３１ｂ）を各種のカウンタートップ２３ａ，２３ｂの厚み寸法を考慮して４０ｍｍ以上とする長さ寸法Ｈを設定したので、大半のキッチンのカウンタートップが有する種々の厚み寸法に対応して誘導加熱調理器１１を取付固定でき、しかもキッチン内部の狭くて暗い場所にあっても容易に組み込むことができる。
【００４４】
（第４の実施の形態）
次いで、図７は本発明の第４実施例を示す要部の断面図で、上記第１実施例では本体ケース１４を合成樹脂製とした構成にて突段部２６や係合口２７を設けたのに対し、本実施例では金属製の本体ケース３３を採用した点が異なるものである。即ち、図７では突段部３４の段差部３４ａ下位に係合口３５を切り起し成形により設けた構成としている。
【００４５】
従って、上記構成においてカウンタートップ２３に組み込む場合は、開口部２４に落とし込まれた調理器本体１２は、その外郭を形成する前記本体ケース３３の下方から固定具２５が宛がわれ、外方に膨出形成された突段部３４の段差部３４ａにて一旦衝止される。そして、必要に応じ固定具２５を左右動させることにより、その上端の鉤部２５ａを係合口３５に容易に一致させることができ、鉤部２５ａと該係合口３５とが係合することで固定具２５を本体ケース３３に容易に連結することができ、以後蝶型ボルト２８を強く締め付けることにより上記第１実施例と同様にカウンタートップ２３に取付固定ができ、組み込み作業はキッチン内部においても容易に実行できる。
【００４６】
尚、本実施例では係合口３５を突段部３４の下位に形成したが、上記第１実施例と同様に突段部３４にわたって形成することも可能で、少なくとも段差部３４ａ近傍に設ければ略同等の作用効果が得られるとともに、また切り起し成形に限らない。更には、本実施例においても先の第２，第３実施例で述べた如き係合口３５の側部からリブ状の凸部を下方に形成することも可能である。
【００４７】
その他、本発明は上記し各図面に示された実施例に限定されるものではなく、例えば誘導加熱調理器に限らず少なくともキッチン等のカウンタートップの内部に落とし込んで組み込む調理器全般に適用できることはもとより、固定具等を用いた固定箇所は必要に応じて１箇所或は複数箇所に適用すれば良く、また具体的には固定具の垂直部上端に形成したコ字状の鉤部にしても、単に鋭角に折曲した形状でも良いし、該固定具は必要に応じ更に補強ビードや適宜の幅広に形成するなど、実施に際し具体的に種々変更が可能である。
【００４８】
【発明の効果】
以上の説明から明らかなように、本発明のビルトイン型調理器においては、  キッチン等のカウンタートップの内部に組み込むに際して、調理器本体を構成する本体ケースに突段部を形成するとともに、該突段部の段差部近傍に係合口を設け、この係合口にＬ字状に形成した固定具の一端を係合させ、他端に螺挿したボルト部材を前記カウンタートップの裏面に締め付けることによって取付固定する構成とした。
【００４９】
斯かる構成により、固定具およびボルト部材による部品点数の低減を図りながら、Ｌ字状になした固定具自体の強度向上および本体ケースとの連結強化も果たし得、しかも、固定具を組み付ける際に突段部の段差部にて衝止して位置規制され、必要に応じ若干横方向に調整移動する程度で係合口と一致させることができるので、係合口との連結作業を容易にする。従って、キッチン等内部の狭くて暗所における組み込み作業も容易で確実にできるなど、実用に好適するビルトイン型調理器を提供できる。
【図面の簡単な説明】
【図１】本発明を誘導加熱調理器に適用してキッチン内部に組み込んだ第１実施例を示す全体構成の縦断面図
【図２】調理器単体の外観斜視図
【図３】組み込み手順を説明するための要部を破断して示す分解図
【図４】本発明の第２実施例を示す図２相当図
【図５】図４の要部の拡大図
【図６】本発明の第３実施例を示す異なる態様（ａ）および（ｂ）の各要部の断面図
【図７】本発明の第４実施例を示す要部の断面図
【図８】従来構成の図７相当図
【符号の説明】
図中、１１は誘導加熱調理器（ビルトイン型調理器）、１２は調理器本体、１３はトッププレート、１４，２９，３２，３３は本体ケース、２０はプレート部、２１は枠部、２３はカウンタートップ、２４は開口部、２５は固定具、２６，３４は突段部、２６ａ，３４ａは段差部、２７，３５は係合口、２８は蝶型ボルト（ボルト部材）、および３０ａ，３０ｂ，３１ａ，３１ｂは凸部を示す。
【図１】
0003895114.tif 000002
【図２】
0003895114.tif 000003
【図３】
0003895114.tif 000004
【図４】
0003895114.tif 000005
【図５】
0003895114.tif 000006
【図６】
0003895114.tif 000007
【図７】
0003895114.tif 000008
【図８】
0003895114.tif 000009